(57)【要約】【課題】箸をテーブルに置いたときに、箸の重心を箸先にずらし箸先より箸の頭を重くなるようにした支点に突起物を設けて、箸先が持ち上がる構成にして箸置きを不要とし、また、支点に設ける突起物を箸の装飾部分として利用し独創性のある装飾を施した箸を提供する。【解決手段】箸の先から箸の頭までの間の重心を箸先側にずらし箸先より箸の頭を重くなるようにした支点に突起物を設けて箸先が持ち上がる構成にする。【選択図】図１
0003174354.tif 000002
【実用新案登録請求の範囲】
【請求項１】
箸をテーブルに置いたときに、箸先がテーブルにつかないように箸先を浮かせるために、箸の先から箸の頭までの間の重心より箸先側にずれた箇所に突起物を設けた支点で箸の先が持ち上がる構成にしたことを特徴とする箸。
【考案の詳細な説明】
【技術分野】
【０００１】
本考案は、食事に用いる箸に関するものである。
【背景技術】
【０００２】
従来より、食事に用いる箸はテーブル等に置くときは箸置きを用い、箸先が直接テーブルにつかないようにしている。
【０００３】
また、箸置きを用いないで箸先を浮かせる考案がなされており、（特許文献１参照）箸の頭部に錘を取り付け箸先が持ち上がる構成を施した箸や、（特許文献２参照）箸の柄の中央からやや前に突起を設けて箸先が平面に接することを防止した箸の考案がある。
【０００４】
また、箸の断面が四角の箸の一面を箸の中央から箸先と箸の頭までを細くして、箸の中央部から細くなった箸の頭の面をテーブルに置いたときに、箸先がテーブルより浮いた状態になる考案を施した箸がある。
【先行技術文献】
【特許文献】
【０００５】
【特許文献１】特許文献１  特開７−１９４４７３  特許文献２  特開２００７−000５６５
【考案の概要】
【考案が解決しようとする課題】
【０００６】
箸置きを使わずに、箸の箸先がテーブルにつかない箸を提供する。
【０００７】
特許文献１の考案の箸で、箸の先を持ち上げる考案であるが、箸の頭を重たくする方法は箸の頭に錘を付けて箸の頭を重たくした考案である。
【０００８】
特許文献２は、箸の柄の中央からやや前に突起を設けて箸先が平面に接することを防止した箸の考案で、箸の断面が四角い箸の２面に設けた突起で箸の先を浮かせる考案である。
【０００９】
また、前記特許文献２の箸は柄の中央からやや前に突起を設けているが、本考案は箸の先から箸の頭までの間の重心を箸先にずらし箸先より箸の頭を重くなるようにした支点に突起物を設けているので、突起物の位置は箸の中央からやや箸の頭側になる。          
【００１０】
また、本考案の箸の断面は四角型、丸型、５角形６角型等で形を限定するものではなく、またどの面をテーブルに置いても箸先が持ち上がる構成である。
【課題を解決するための手段】
【００１１】
本考案にかかる箸において、箸をテーブルに置いたときに、箸先を浮かせて箸先がテーブルにつかないようにするために、箸の先から箸の頭までの間の重心を箸先側にずらし箸先より箸の頭を重くなるようにした支点に突起物を設けて箸先が持ち上がる構成にする。
【考案の効果】
【００１２】
本考案は箸をテーブルに置いたときに、箸先を浮かせて箸先がテーブルにつかないようにするために、箸の先から箸の頭までの間の重心を箸先にずらし箸先より箸の頭を重くなるようにした支点に突起物を設けて箸先が持ち上がる構成にすることで、箸置きを使用する必要がなくなる。
【００１３】
また、支点に設ける突起物を箸の装飾部分として利用することで独創性のある装飾箸を提供することが出来る。
【図面の簡単な説明】
【００１４】
【図１】本考案にかかる箸の実施例の平面図である。
【図２】前記箸の支点に設けた突起物をリング状に施した実施例の矢視Ａ−Ａ線に沿う断面図である。
【図３】本考案の箸の支点に球状の突起物を設けた実施例の平面図である。
【図４】前記箸の支点に球状の突起物を設けた実施例の矢視Ｂ−Ｂ線に沿う断面図である。
【図５】前記箸をテーブルに置いて箸先が浮いている状態を示す実施例の正面図である。
【図６】本考案の箸の支点部の突起物を箸と一体に成型した実施例の平面図である。
【図７】前記箸の支点部の突起物を箸と一体に成型した実施例の矢視Ｃ−Ｃ線に沿う断面図である。
【図８】本考案の箸の支点に弾力のある素材のリング状の突起物を施した実施例の平面図である。
【図９】前記箸の支点に弾力のある素材のリング状の突起物を施した実施例の矢視Ｄ−Ｄ線に沿う断面図である。
【考案を実施するための形態】
【００１５】
以下に、本考案にかかる箸を、その実施例を示した図面に基づいて詳細に説明する。図１は箸の平面図で、箸先を浮かせて箸先がテーブルにつかないようにするために、箸の先から箸の頭までの間の重心を箸先側にずらし箸先より箸の頭を重くなるようにした支点に突起物２を設け箸先を持ち上げる構成である。
【００１６】
図２は前記箸の断面図で、リング状に構成した突起物を箸１にかぶせて取り付ける。
【００１７】
図３は本考案の箸の支点に設けた突起物のバリエーションを示す実施例の平面図で、ボール状の突起物３を、箸先を浮かせて箸先がテーブルにつかないようにするために、箸の先から箸の頭までの間の重心を箸先側にずらし箸先より箸の頭を重くなるようにした支点に取り付ける。
【００１８】
図４は前記箸の断面図で、ボール状の突起物を箸の円周に取り付ける。
【００１９】
図５は前記箸をテーブル４に置いて箸先が浮いている状態を示す実施例の正面図で、箸の重心を箸先にずらした支点にボール状の突起物３を取り付けてよ箸先が持ち上がりテーブル４につかないように構成する。
【００２０】
図６は本考案の箸の支点に設けた突起物のバリエーションを示す実施例の平面図で、突起物を箸と一体成型にて構成する。
【００２１】
図７は前記箸の断面図で、箸の重心を箸先にずらした支点に突起物５を箸と一体成型し、箸先がテーブルにつかないように構成する。
【００２２】
図８は本考案の箸の支点に設けた突起物のバリエーションを示す実施例の平面図で、突起物４を柔らかい素材にて構成し箸１にかぶせる。
【００２３】
頭９は前記箸の断面図で、箸の重心を箸先にずらした支点に柔らかい素材の突起物６を箸１にはめこんで、箸先がテーブルにつかないように構成する。
【００２４】
本考案の図１から図９までの箸において、箸の基準を充たした長さ、形状、素材で、長さ、形状、素材を限定するものではない。また箸に施す突起物の大きさ、形状、材質も限定するものではない。
【００２５】
また、突起物を施した箸は、箸をテーブルに置いたときに転がる場合があるので、転がり防止のために突起物に面取を施したり、凹凸のある塗装を施し転がりを防止する。
【００２６】
尚、図１から図９までの図面において、箸は２本で１膳であるが図面は１膳の内の１本を記載している。
【００２７】
さらに、本考案の箸に設ける突起物に装飾を施す部分として利用するが、具体的な装飾方法は省略する。
【符号の説明】
【００２８】
１箸  ２突起物  ３ボール状の突起物  ４テーブル  ５箸と一体成型した突起物  ６柔らかい素材のリング状の突起物  
【図１】
0003174354.tif 000003
【図２】
0003174354.tif 000004
【図３】
0003174354.tif 000005
【図４】
0003174354.tif 000006
【図５】
0003174354.tif 000007
【図６】
0003174354.tif 000008
【図７】
0003174354.tif 000009
【図８】
0003174354.tif 000010
【図９】
0003174354.tif 000011